(57)【要約】【課題】蓋体の開閉で指を挟むことの無い安全性の高いドラム式洗濯機を実現する。【解決手段】筺体衣類出入口１７を開閉する蓋体１８と、洗濯機筺体１６に設けられ、蓋体１８を回転支持する回転支持部２２を有する一対の回転軸部材２３とを備え、蓋体１８は、回転軸部材２３に対応する位置に切欠き部２４を形成するとともに、洗濯機筺体１６は、切欠き部２４と対応する位置に一対の凸部２５を形成し、凸部２５と、切欠き部２４および蓋体１８の端部の回転軌道との距離を、指が入らない所定の距離以下に設定した構成としたことにより、蓋体１８と洗濯機筺体１６との隙間に指を入れることが無く、安全に蓋体の開閉ができる。【選択図】図３
2012170679.tif 000002
【特許請求の範囲】
【請求項１】
筺体衣類出入口を設けた洗濯機筐体と、この洗濯機筐体内に揺動可能に支持され水槽衣類出入口を設けた水槽と、前記水槽内に回転自在に配設され回転軸が水平もしくは水平から傾斜した有底円筒状の回転ドラムと、前記水槽衣類出入口と前記筺体衣類出入口との間に設けられたシールパッキンと、前記筺体衣類出入口を開閉する蓋体と、前記洗濯機筺体に設けられ、前記蓋体を回転支持する回転支持部を有する回転軸部材とを備え、前記蓋体は、前記回転軸部材に対応する位置に切欠き部を形成するとともに、前記洗濯機筺体は、前記切欠き部と対応する位置に凸部を形成し、前記凸部と前記蓋体との距離が最も接近したときの距離を所定の距離以下に設定したドラム式洗濯機
【請求項２】
蓋体の端部に曲面部を設け、前記蓋体の回転軌道において、前記凸部と最も近い位置にある前記蓋体の部位と、前記凸部との距離が、前記蓋体を開けるに従い大きくなるように設定した請求項１記載のドラム式洗濯機。
【発明の詳細な説明】
【技術分野】
【０００１】
本発明は、前面側から蓋体の開閉を行うドラム式洗濯機に関するものである。
【背景技術】
【０００２】
従来、この種のドラム式洗濯機は、蓋体と洗濯機本体を、連結部材にて連結する構成が提案されてきた（例えば、特許文献１）。
【０００３】
図４は、特許文献１に記載された従来のドラム式洗濯機の斜視図、図２は、同ドラム式洗濯機の蓋体が開状態の要部断面図を示す。
【０００４】
図４、図５において、洗濯機本体３２に軸受け部材３３を取り付け、軸受け部材３３の回転軸部３４に一対の連結部材３５、３６を回動自在に取り付け、連結部材３５，３６に蓋体３９を連結して、蓋体３９により、洗濯機本体３２の前方の開口部３１を開閉自在に覆う。一対の連結部材３５、３６は、回転軸部３４を中心とした略円弧形状をなし、互いに離れるほど略円弧形状の円弧半径が大きくなるという構成である。
【先行技術文献】
【特許文献】
【０００５】
【特許文献１】特開２００５−６５９０９号公報
【発明の概要】
【発明が解決しようとする課題】
【０００６】
しかしながら、このような従来の構成では、蓋体を閉状態にした時に、外観性のため洗濯機本体と蓋体の隙間を出来るだけ小さくし、蓋体を開状態にした時には、操作性のため出来るだけ開き角度を大きくする必要があるが、一対の連結部材３５、３６は、回転軸部３４を中心とした略円弧形状をなし、互いに離れるほど略円弧形状の円弧半径が大きくなるようにしているために、蓋体の回転軸部側において、洗濯機本体との間に大きな隙間が発生し、使用者または子供等の付帯者が指をその隙間に入れる可能性があり、蓋体を開けている途中では問題ないが、その状態で、気付かずに蓋体を最大限まで開く方向に動作すると、指を巻き込み、非常に危険であるという課題を有していた。また、蓋体を閉める場合も、同様に、指を巻き込み、危険であるという課題を有していた。
【０００７】
本発明は、前記従来の課題を解決するもので、蓋体の回転軸部の構成が簡単で、製品の品位を保ち、なおかつ、使用者または子供等の付帯者にとって、安全で使い勝手の良いドラム式洗濯機を提供することを目的とする。
【課題を解決するための手段】
【０００８】
前記従来の課題を解決するために、本発明のドラム式洗濯機は、筺体衣類出入口を設けた洗濯機筐体と、この洗濯機筐体内に揺動可能に支持され水槽衣類出入口を設けた水槽と、前記水槽内に回転自在に配設され回転軸が水平もしくは水平から傾斜した有底円筒状の回転ドラムと、前記水槽衣類出入口と前記筺体衣類出入口との間に設けられたシールパッキンと、前記筺体衣類出入口を開閉する蓋体と、前記洗濯機筺体に設けられ、前記蓋体を回転支持する回転支持部を有する回転軸部材とを備え、前記蓋体は、前記回転軸部材に対応する位置に切欠き部を形成するとともに、前記洗濯機筺体は、前記切欠き部と対応する位置に凸部を形成し、前記凸部と前記蓋体との距離が最も接近したときの距離を所定の距離以下に設定したものである。
【０００９】
これにより、使用者または子供等の付帯者が、その切欠き部と洗濯機筐体凸部との隙間に指を入れることができず、安全に蓋体の開閉ができる。
【発明の効果】
【００１０】
本発明のドラム式洗濯機は、複雑な蓋体支持構造とすることも無く、使用者または子供等の付帯者が、隙間に指を入れることが無いので、安全に蓋体の開閉ができる。
【図面の簡単な説明】
【００１１】
【図１】本発明の実施の形態に係るドラム式洗濯機の縦断面図
【図２】同ドラム式洗濯機の正面図
【図３】同ドラム式洗濯機の要部断面図
【図４】従来のドラム式洗濯機の斜視図
【図５】同ドラム式洗濯機の蓋体が開状態の要部断面図
【発明を実施するための形態】
【００１２】
第１の発明は、筺体衣類出入口を設けた洗濯機筐体と、この洗濯機筐体内に揺動可能に支持され水槽衣類出入口を設けた水槽と、前記水槽内に回転自在に配設され回転軸が水平もしくは水平から傾斜した有底円筒状の回転ドラムと、前記水槽衣類出入口と前記筺体衣類出入口との間に設けられたシールパッキンと、前記筺体衣類出入口を開閉する蓋体と、前記洗濯機筺体に設けられ、前記蓋体を回転支持する回転支持部を有する回転軸部材とを備え、前記蓋体は、前記回転軸部材に対応する位置に切欠き部を形成するとともに、前記洗濯機筺体は、前記切欠き部と対応する位置に凸部を形成し、前記凸部と前記蓋体との距離が最も接近したときの距離を所定の距離以下に設定したことにより、使用者または子供等の付帯者が、蓋体の切欠き部と洗濯機筐体凸部との隙間に指を入れることができず、安全に蓋体の開閉ができる。
【００１３】
第２の発明は、特に第１の発明において、蓋体の端部に曲面部を設け、前記蓋体の回転軌道において、前記凸部と最も近い位置にある前記蓋体の部位と、前記凸部との距離が、前記蓋体を開けるに従い大きくなるように設定したことにより、蓋体の切欠き部と洗濯機筐体の凸部との隙間、もしくは、蓋体の端部と洗濯機筐体の凸部との隙間に、使用者または子供等の付帯者の指が入ったとしても、蓋体が開くに従って、その隙間が大きくなるので、使用者または子供等の付帯者の指を圧縮せず、怪我などの危険は及ばない。また、蓋体を閉じるときは、蓋体の切欠き部および蓋体の回転軸に対する端部は、蓋体を閉じるに従い、隙間から指を押し出す方向に動くので、同様に怪我などの危険は及ばず、安全に蓋体の開閉ができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態に係るドラム式洗濯機の断面図、図２は、同ドラム式洗濯機の正面図、図３は、同ドラム式洗濯機の要部断面図である。
【００１６】
図１において、回転ドラム１１は、有底円筒状に形成され、外周部に多数の通水孔１２が全面に設けられて、洗濯機筺体１６内に揺動自在に防振支持された、有底円筒状の水槽１３内に、回転自在に配設されている。回転ドラム１１の回転中心に回転軸（回転中心軸）１４が設けられ、この回転軸１４に、水槽１１の背面近傍に取り付けたモータ１５がベルト２６を介して連結され、モータ１５により回転ドラム１１が正転、逆転方向に回転駆動される。
【００１７】
水槽１３の正面側で洗濯機筐体１６に設けた筺体衣類出入口１７を、蓋体１８により開閉自在に覆い、この蓋体１８を開くことにより、筺体衣類出入口１７、水槽衣類出入口１９に円周状に装着されたシールパッキン２０、および回転ドラム衣類出入口２１を通して回転ドラム１１内に洗濯物を入れ、回転ドラム１１内から洗濯物を取り出せるようにしている。
【００１８】
蓋体１８は、洗濯機筐体１６に配置された上下一対の回転軸部材２３に形成された回転支持部２２で回転支持されており、蓋体１８閉時には、ゴム材等で構成されるシールパッキン２０で筺体衣類出入口１７をシールする。
【００１９】
図２において、蓋体１８は回転支持部２２を境に、蓋体１８の端面側１８ａ（図２の回転支持部２２の左側部分）と、中心側１８ｂ（図２の回転支持部２２の右側部分）に大別される。ここで、蓋体１８の端面側１８ａは、蓋体１８の開動作に連動して洗濯機筐体２６側に回動する。反対に蓋体１８の中心側１８ｂは、蓋体１８の開動作に連動して洗濯機筐体１６の反対側に回動する。
【００２０】
図３において、蓋体１８の開き角度は、大きいほど回転ドラム１１への洗濯物の出し入れがし易いが、蓋体１８の開時に、回転軸部材２３と蓋体１８が干渉するため、蓋体１８の端面側に切欠き部２４を形成している。なお、切欠き部２４は、蓋体を全開した時に回転軸部材２３と隙間ａを保っている。
【００２１】
また、一対の回転軸部材２３近傍で、切欠き部２４の対応する位置の洗濯機筐体１６には、上下一対の凸部２５が形成されており、切欠き部２４との隙間を蓋体１８が回動しても、隙間ｂ以下に設定している。また、蓋体１８の端面側１８ａに対しても、上記蓋体１８の切欠き部２４と同様に、洗濯機筐体１６との隙間を隙間ｂ以下に設定している。なお、隙間ｂは指の先端が入らない寸法であり、おおよそ５ｍｍに設定している。
【００２２】
また、凸部２５の形態は、図３のように洗濯機筐体１６で一体に形成しても、また、金属もしくは樹脂で、洗濯機筐体１６と別部品で洗濯機筐体１６に配置しても良い。凸部２５を別部品で形成すれば、特に洗濯機筐体１６が金属で形成されている場合、金属の伸び率等の物づくり上の制約が緩和され、より切欠き部２４の隙間ｂを精度よく保つことができる。また、ゴム等の可撓性の材質を用いれば、蓋体１８の切欠き部２４と洗濯機筐体１６の凸部２５との隙間を無くし、凸部２５と蓋体１８の切欠き部２４を当接させても、蓋体１８の開閉時に凸部２５が撓むため、蓋体１８の開閉を阻害することが無い。
【００２３】
以上のように構成されたドラム式洗濯機について、以下動作、作用を説明する。
【００２４】
使用者が洗濯物を洗濯するため、蓋体１８と洗濯機筐体１６の間のロック機構（図示せず）を解除し、蓋体１８を開ける。このとき、蓋体１８の切欠き部２４と蓋体１８の端面側１８ａは、開動作に連動して洗濯機筐体１６側に回動する。
【００２５】
このとき、蓋体１８の切欠き部２４および蓋体１８の端面側１８ａと洗濯機筐体１６との間に、作業者および子供等の付帯者の指が入る隙間があれば、蓋体１８の開動作とともに、指は圧縮される方向に蓋体１８が動き、危険である。しかし、蓋体１８の切欠き部２４および蓋体１８の端面側１８ａと洗濯機筐体１６との隙間は、洗濯機筺体１６に設けた一対の凸部２５により、指が入らない隙間ｂ以下（例えば５ｍｍ以下）に設定されているため、指が入らずその危険を回避することができる。すなわち、凸部２５と蓋体１８との距離が最も接近したときの距離を所定の距離（例えば５ｍｍ）以下に設定している
したがって、蓋体１８の開き角度を大きくし、蓋体１８に切欠き部２４を形成し、洗濯物の出し入れ等の使い勝手を損なうことなく、安全に開閉することができる。
【００２６】
また、蓋体１８の回転支持部２２は回転軸部材２３に形成されており、洗濯機筐体１６に配置され、回転支持部２２は蓋体１８を回転支持したのみの簡単な構成である。このため、例えば、回転支持部２２を２軸にする等の複雑な構成をとらずとも、上記安全を確保でき、なおかつ、部品の積み重なりによるバラツキを小さくでき、蓋体１８のガタツキを小さくすることができる。すなわち、製品の品位を損なうことを防止できる。
【００２７】
以上のように、本実施の形態においては、蓋体は、回転軸部材に対応する位置に切欠き部を形成するとともに、洗濯機筺体は、切欠き部と対応する位置に一対の凸部を形成し、凸部と、切欠き部および蓋体の端部の回転軌道との距離を、指が入らない所定の距離以下に設定したことにより、隙間に指を入れることが無く、安全に蓋体の開閉ができるものである。
【００２８】
（実施の形態２）
図３において、図示してはいないが、第２の実施の形態では、蓋体１８外周部曲面の、回転支持部２２側の蓋体端部曲面部２７の曲率が実施の形態１よりも大きく形成されている。
【００２９】
曲率を大きくすることにより、蓋体１８を開くに従って、凸部２５と、切欠き部２４および蓋体の端部の回転軌道との隙間ｂが、大きくなるよう構成されている。すなわち、蓋体１８の回転軌道において、凸部２５と最も近い位置にある蓋体１８の部位と、凸部２５との距離が、蓋体１８を開けるに従い大きくなるように設定したものである。
【００３０】
これにより、万が一、指をその隙間に置いていても、蓋体１８を開けた時に、更に挟んでしまい指を損なうということも無い。さらに、蓋体１８を開けた時に、その隙間に指を置いていても、蓋体１８を閉めるときに、隙間から指が押し出されるので、安全に開閉ができる。
【００３１】
以上のように、蓋体端部曲面部の曲率を大きくするという簡単なる構成において、指を挟むことも無い、安全な蓋体の開閉ができる。
【産業上の利用可能性】
【００３２】
以上のように、本発明にかかるドラム式洗濯機は、複雑な蓋体支持構造とせずに、使用者または子供等の付帯者が、隙間に指を入れることが無く、安全に蓋体の開閉ができるので、回転支持された蓋体を有するその他の機器の用途に適用できる。
【符号の説明】
【００３３】
１１  回転ドラム
１３  水槽
１６  洗濯機筐体
１７  筺体衣類出入口
１８  蓋体
１９  水槽衣類出入口
２０  シールパッキン
２２  回転支持部
２３  回転軸部材
２４  切欠き部
２５  凸部
【図１】
2012170679.tif 000003
【図２】
2012170679.tif 000004
【図３】
2012170679.tif 000005
【図４】
2012170679.tif 000006
【図５】
2012170679.tif 000007